(57)【要約】【課題】複数のアンテナからもたらされる複数の信号を管理することができる非接触型無線周波数デバイス用の集積回路及び非接触型無線周波数デバイスを提供し、かつそれらにおける放射性能を向上する。【解決手段】第１のアンテナ（１４）及び第２のアンテナ（１８）が受信した無線周波数信号をそれぞれ整流して、２つの正の出力電圧Ｖ１及びＶ２を発生させる第１の整流回路（４０）及び第２の整流回路（５０）を有する集積回路（１２）であり、それら整流回路（４０、５０）を、Ｖ１〜Ｖ２の範囲内における最大電圧に相当する出力電圧を選択するため並行に配置する。【選択図】図４
2009537886.tif 000002
【特許請求の範囲】
【請求項１】
読取装置（３０）から送信された無線周波数信号を受信する第１アンテナ（１４）及び第２アンテナ（１８）に接続された非接触型無線周波数デバイス用の集積回路（１２）において、
前記集積回路（１２）は、第１のアンテナ（１４）及び第２のアンテナ（１８）が受信した無線周波数信号をそれぞれ整流して、２つの正の出力電圧Ｖ１及びＶ２を発生させる第１の整流回路（４０）及び第２の整流回路（５０）を有し、前記整流回路（４０、５０）は、Ｖ１〜Ｖ２の範囲内における最大電圧に相当する出力電圧を選択するため並行に配置されていることを特徴とする非接触型無線周波数デバイス用の集積回路。
【請求項２】
選択された出力電圧がコンデンサー（６０）により最適化される請求項１に記載の非接触型無線周波数デバイス用の集積回路。
【請求項３】
前記コンデンサー（６０）により最適化された出力電圧が、回路に電力を供給し、情報を伝達するために負荷（７０）に印加される請求項１又は２に記載の非接触型無線周波数デバイス用の集積回路。
【請求項４】
対象物の追跡又は人物の特定に必要な情報を格納するメモリ領域を有する請求項１〜３のいずれかに記載の非接触型無線周波数デバイス用の集積回路。
【請求項５】
前記情報を読取装置（３０）から極超短波の電磁波を通じて取得する請求項４に記載の非接触型無線周波数デバイス用の集積回路。
【請求項６】
請求項１〜５のいずれかに記載の非接触型無線周波数デバイス用の集積回路を備えた非接触型無線周波数デバイス。
【請求項７】
前記アンテナ（１４、１８）がダイポールアンテナである請求項６に記載の非接触型無線周波数デバイス。
【請求項８】
前記アンテナ（１４、１８）が支持体（１１）上に印刷されてなる請求項６又は７に記載の非接触型無線周波数デバイス。
【請求項９】
前記支持体（１１）が紙からなる請求項６〜８のいずれかに記載の非接触型無線周波数デバイス。
【請求項１０】
非接触型無線周波数デバイスが、無線周波数による認識ラベル又は非接触型ラベルである請求項６〜９のいずれかに記載の非接触型無線周波数デバイス。
【請求項１１】
三次元の物体の１つ又は複数の面に貼り付けることができる大きさであって、ラベルのそれぞれの部分が、物体の面のうち１つの面上に、少なくとも前記アンテナ（１４、１８）の一方における１本のワイヤの全体又は一部分が含まれるように位置し、読取装置（３０）に対するラベルの向きにかかわらず、いずれかの面が読取装置（３０）とデータを交換することができるようにした請求項１０に記載の非接触型無線周波数デバイス。
【請求項１２】
前記ラベルを折り曲げることができ、ラベルの機能を妨げない半軸線（３７）を有する２つの軸線（３３−３５、３７−３９）を備えた請求項１１に記載の非接触型無線周波数デバイス。
【発明の詳細な説明】
【技術分野】
【０００１】
本発明は、無線周波数デバイス（ＲＦＩＤ）、特に複数のアンテナ及びそれに付随するアンテナ選択回路を持つ非接触型無線周波数デバイスに関する。
【背景技術】
【０００２】
現在、非接触型トランシーバーデバイスは、さまざまな応用分野で広く使われている。その応用分野のひとつとして、非接触型スマートカードがあり、例えば、公共輸送分野等のさまざまな産業部門でますます利用されるようになってきている。この非接触型スマートカードは、支払い手段としても開発されている。
【０００３】
非接触型デバイスとそれに対応する読取装置との間の情報交換は、非接触型デバイスに内蔵されたアンテナと読取装置にある第２のアンテナ間で、電磁信号を遠隔送信することによって達成される。情報を収集し、メモリし、処理するために、デバイスはアンテナに接続したマイクロ回路を備えており、メモリ領域を有している。情報を交換する間、非接触型デバイスは、読取装置から伝送される電磁波によって電力が供給される。
【０００４】
ますます重要性が増しているこれら非接触型デバイスの応用例として、対象物に貼られたラベルがあり、商品又は貯蔵位置を追跡する際の識別に使われている。このような応用では、各対象物に貼付されたラベルのマイクロ回路は、そのメモリに対象物のデータを備えることによって、対象物の検索と識別が可能となり、そのため、対象物の追跡可能性が確実なものとなる。
【０００５】
ラベルは、対象物が製造された時点で対象物に貼付され、対象物が顧客の手に渡るまで対象物に付属している。マイクロ回路のメモリは、対象物の特徴に関する情報、又はコンテナの場合はその内容に関する情報を含んでいる。情報は、読取装置によっていつでも読取り可能である。現在、ラベルとのデータ交換を行うために読取装置によって共通に使われている周波数は８６０ＭＨｚから９６０ＭＨｚまでの極超短波（ＵＨＦ）であり、これによって２メートル以上の距離からラベルの読取りが可能となる。
【０００６】
図１に示すようなＲＦＩＤラベル１００として知られる非接触型ラベルにおいて使用可能な単純なアンテナは、動作周波数の波長の約２分の１の寸法のダイポールアンテナ１１２である。ダイポールの特徴は、エネルギーがダイポールの軸に垂直な好適な方向に主に放射される点にある。その結果、単純なダイポールをアンテナとして用いると、ラベルは全方向には機能せず、ある特定の方向に沿ってのみ機能する指向性放射という大きな欠点を有することを意味する。
【０００７】
この欠点を補正するひとつの解決策として、複数のアンテナを組み合わせて使用する方法があり、例えば、図２に示すような２個のダイポールを用いて、均一又は非方向性のボリュームの放射を行う。この場合、各アンテナによって受信された信号は、より大きな出力信号を得るために互いに合成することができる。このような複数のアンテナを有するシステムの第１の欠点は、受信した信号のうちのひとつがノイズの場合、受け取った電磁場の電力を最大限に利用することができないという点にある。更に、受信した各信号は、集積回路に設置スペースを必要とするコンデンサーによる最適化が必要である。しかしながら、そのような極めて小さいサイズの回路においては、部品を追加することはコストが更に増加することを意味する。
【発明の開示】
【発明が解決しようとする課題】
【０００８】
本発明の目的は、複数のアンテナからもたらされる複数の信号を管理することができる非接触型無線周波数デバイス用の集積回路を提供し、かつ非接触型デバイスの放射性能を向上することにある。
【０００９】
また、本発明の他の目的は、複数のアンテナからもたらされる複数の信号を処理することができる集積回路を備えた非接触型無線周波数デバイスを提供し、かつ放射性能を向上することにある。
【課題を解決するための手段】
【００１０】
上記の目的を達成する本発明の非接触型無線周波数デバイス用の集積回路は、読取装置から送信された無線周波数信号を受信する第１アンテナ（１４）及び第２アンテナ（１８）に接続された非接触型無線周波数デバイス用の集積回路（１２）において、前記集積回路（１２）は、第１のアンテナ（１４）及び第２のアンテナ（１８）が受信した無線周波数信号をそれぞれ整流して、２つの正の出力電圧Ｖ１及びＶ２を発生させる第１の整流回路（４０）及び第２の整流回路（５０）を有し、前記整流回路（４０、５０）は、Ｖ１〜Ｖ２の範囲内における最大電圧に相当する出力電圧を選択するため並行に配置されていることを特徴とするものである。
【００１１】
選択された出力電圧をコンデンサー（６０）により最適化する。また、そのコンデンサー（６０）により最適化された出力電圧が、回路に電力を供給し、情報を伝達するために負荷（７０）に印加されるようにする。
【００１２】
非接触型無線周波数デバイス用の集積回路は、対象物の追跡又は人物の特定に必要な情報を格納するメモリ領域を有する。その情報を読取装置（３０）から極超短波の電磁波を通じて取得する。
【００１３】
上記の目的を達成する本発明の非接触型無線周波数デバイスは、上述した非接触型無線周波数デバイス用の集積回路のいずれかを備えることを特徴とするものである。
【００１４】
アンテナ（１４、１８）にはダイポールアンテナを用いる。そのアンテナ（１４、１８）は、支持体（１１）上に印刷して形成される。また、支持体（１１）は紙から構成される。
【００１５】
この非接触型無線周波数デバイスは、無線周波数による認識ラベル又は非接触型ラベルとして用いられる。それらラベルを三次元の物体の１つ又は複数の面に貼り付けることができる大きさにし、ラベルのそれぞれの部分が、物体の面のうち１つの面上に、少なくともアンテナ（１４、１８）の一方における１本のワイヤの全体又は一部分が含まれるように位置し、読取装置（３０）に対するラベルの向きにかかわらず、いずれかの面が読取装置（３０）とデータを交換することができるようにする。更に、ラベルを折り曲げることができ、ラベルの機能を妨げない半軸線（３７）を有する２つの軸線（３３−３５、３７−３９）を備える。
【発明の効果】
【００１６】
本発明の非接触型無線周波数デバイス用の集積回路によれば、読取装置から送信される無線周波数の信号を受信するように設計された第１のアンテナと第２のアンテナに接続され、それら第１アンテナ及び第２アンテナが受信した各無線周波数の信号をそれぞれ整流し、２つの正の出力電圧Ｖ１及びＶ２を生じる第１の整流回路と第２の整流回路を有し、それらの整流回路をＶ１およびＶ２間の最大電圧値に対応する出力電圧値を選択するために並列に配置するようにしたので、複数のアンテナから来る複数の信号を管理することができる非接触型無線周波数デバイス用の集積回路を提供し、かつ非接触型デバイスの放射性能を向上することができる。
【００１７】
また、本発明の非接触型無線周波数デバイスによれば、上記の非接触型無線周波数デバイス用の集積回路を備えるようにしたので、複数のアンテナからもたらされる複数の信号を処理することができる集積回路を備えた非接触型無線周波数デバイスを提供し、かつ放射性能を向上することができる。
【発明を実施するための最良の形態】
【００１８】
以下に、本発明の実施の形態について、図面を参照して説明する。
【００１９】
図２及び図３に示す本発明の好適な実施例によれば、非接触型無線周波数デバイスは、２個のアンテナ１４、１８に接続した集積回路１２が配置されている支持体１１からなる、無線周波数による識別（ＲＦＩＤ）ラベル１０である。支持体１１は、好適には紙又は合成材料のような繊維状物質の可撓性材料からなる。それぞれのアンテナ１４、１８は、２本のワイヤからなるダイポール型のアンテナである。第１アンテナ１４はワイヤ１３及び１５からなり、第２アンテナ１８はワイヤ１７、１９から構成される。ラベル１０のアンテナ１４、１８は、スクリーン印刷、フレキソ印刷、グラビア印刷、オフセット印刷又はインクジェット印刷により支持体１１に印刷される。アンテナ１４、１８は、銀若しくは金粒子又は導電性高分子が入ったエポキシタイプの導電性インクからなる。アンテナ１４、１８には、動作周波数の波長の約２分の１の寸法を有するダイポールアンテナを用いることが好ましい。それぞれのアンテナ１４、１８は、チップ状の接点２３、２５、２７、２９により集積回路１２に接続され、アンテナ１４のワイヤ１３、１５は集積回路１２の接点２３、２５に接続しており、アンテナ１８のワイヤ１７、１９は集積回路１２の接点２７、２９に接続している。集積回路１２の接点２３、２５は第１の受信システムに接続しており、接点２７、２９は第２の受信システムに接続している。集積回路１２は、対象物の追跡又は人物の識別などに必要な情報を格納するメモリ領域を有し、情報は約１ＧＨｚ、更に詳しくは８６０ＭＨｚを超える極超短波（ＵＨＦ）の電磁波（ＩＳＯ規格１８０００−６準拠の１ＧＨｚの周波数、及びＩＳＯ規格１８０００−４準拠の２.４５ＧＨｚの周波数）を交換することによって読取装置で読み取り可能となる。
【００２０】
情報を交換する間、集積回路１２への電力は、読取装置３０から送られる電磁波によって供給する。ＲＦＩＤラベル１０が読取装置３０の送信範囲に入ると、各アンテナ１４、１８に電圧が誘導される。その後、このＵＨＦによる電圧を処理して、回路に電力を供給するように設計された連続する正の電圧、及び読取装置３０によって送信された情報を復調できるように適切な変化速度を有する正の電圧を発生させる。回路用の電力の発生は整流器の問題であり、振幅変調後の情報の取り出しについては振幅包絡の検出の問題である。第１の供給信号の処理と、変調後の情報に対応する第２の信号の処理は同じであるので、情報を表す変調後の信号にも同じ説明が当てはまることを考慮すれば、回路に電力を供給することを意図した信号の処理について詳しく説明する。しかしながら、相違点についても説明する。
【００２１】
各アンテナ１４、１８における誘起電圧のピーク値は、アンテナの位置、即ち読取装置３０のアンテナ３２の向きに対するラベル１０の向きによって変わる。例えば、図３に示す場合では、読取装置３０のアンテナ３２から発信された無線周波数（ＲＦ）の送信範囲に対して、アンテナ１４に誘起した電圧がアンテナ１８に誘起した電圧よりも小さくなるようにラベル１０は位置している。実際、ダイポールアンテナの放射性能はアンテナ軸に沿って、即ち図３のｙ軸に沿って非常に低く、アンテナに垂直な面で、即ち（ｘ、ｚ）平面及びその中心を通る面で最大となる。
【００２２】
各接点２３、２５、２７、２９を通じて、各アンテナ１４、１８はこのように集積回路１２に接続しており、これが無線周波数の受信システムに対応する。このように２本のアンテナ１４、１８に接続した集積回路１２は、２つの無線周波数の受信システムを構成とする。図４によると、アンテナ１４によって生じた電圧は、第１ダイオード４１及び第２ダイオード４２を特徴とする整流回路４０によって整流される。同様に、アンテナ１８によって生じた電圧は、第１ダイオード５１及び第２ダイオード５２を特徴とする整流回路５０によって整流される。整流回路４０、５０は、ダイオードの代わりとして、トランジスタ又は同じ機能を担保する他の構成部品を用いることもできる。アンテナ１４の整流された出力電圧は正の定電圧Ｖ１であり、一方、アンテナ１８の整流された出力電圧は電圧Ｖ２である。本発明に係る集積回路１２は、接点２５、２７にそれぞれ接続したアンテナ１４、１８のワイヤ１５、１７がオーム接触によって接続するように、２つの整流回路４０、５０が並列に取り付けられているので、ＲＦＩＤラベル１０の集積回路１２の負荷７０の端子に印加される出力電圧を調整するのに必要なコンデンサー６０を最適化することができる。実際、従来技術である２本のアンテナに接続した集積回路の場合では、各整流回路は、整流回路の約３分の２の表面積を占めるコンデンサーを必要とした。その結果、本発明に係る集積回路は、２つの整流回路を備えているにもかかわらず、たった１個のコンデンサーしか使用しないので、整流回路の表面積の約３分の２を節約することができる。
【００２３】
読取装置３０のアンテナ３２対するＲＦＩＤラベル１０の位置によって、電圧値Ｖ１及びＶ２は変化し、常にＶ１>Ｖ２又はＶ２<Ｖ１の２つのゼロでない正の電圧値を得る。アンテナ１８の出力電圧Ｖ２がアンテナ１４の出力電圧Ｖ１よりも大と仮定すると、電圧Ｖ２によって供給され順方向バイアスがかけられたダイオード５２を通る電流は、ダイオード４２が逆バイアス（ロックされた方向）となるため、ダイオード４２を有する回路が開放されている限りは、負荷７０のみに流れることになる。図５を参照すると、ダイオード４２は、ダイオード４２を有する回路の開放を決定する開閉スイッチに相当する。
【００２４】
逆に、Ｖ１>Ｖ２の場合は、ダイオード５２には逆バイアスがかかるのに対し、ダイオード４２には順方向バイアスがかかる。従って、電圧Ｖ１によって供給される電流は、開閉スイッチと等しいダイオード５２を通って流れることができず、負荷７０のみを流れることになる。
【００２５】
従って、ダイオードに順方向バイアスがかけられた整流器に接続するアンテナに生じた電圧は、回路に電力を供給し、読取装置３０からの情報を交換するために負荷７０に印加される電圧となる。このように、本発明に係る集積回路は、アンテナ１４からの電圧Ｖ１及びアンテナ１８からの電圧Ｖ２の間の最大電圧を選択するのを促進し、その最大電圧は、図５の例では電圧Ｖ２となる。選択された最大出力電圧は、更にＲＦＩＤラベル１０の集積回路１２の負荷７０に電力を供給するために、コンデンサー６０によって調整される。この場合、もう一方のアンテナからの電圧は使われない。
【００２６】
変調後の情報に対応する第２信号を発生させる各アンテナ１４、１８に生じた電圧は、包絡線検出器として知られ、整流回路４０、５０と似たような２つの回路によって処理される。しかしながら、包絡線検出器の回路は、入力信号を処理するように設計された整流回路のカットオフ周波数よりも大きい出力信号のカットオフ周波数を有する。その結果、出力電圧Ｖ１及びＶ２は一定ではなく、変調後の信号の出力に合わせた速度で変化する。変調後の情報に対応する信号の場合、アンテナのうちの１本において誘導された電圧のうちの１つが寄生ピークのようなノイズであった場合、本発明に係る集積回路は、「よい」信号だけを拾い上げるという利点がある。一方、誘導電圧を合成する集積回路の場合には、結果として生じる信号は、通信エラーの原因となりうる干渉を含む可能性がある。
【００２７】
入力信号を処理するための本発明に係る集積回路は、変調後の情報信号の処理に関しては、必要とされるコンデンサーが１個だけであるため、設置スペースが節約できるという利点がある。更に、本発明に係る集積回路１２は、アンテナのうちの１本によって受信された複数の信号のうちの１つがノイズである場合でも、ノイズの振幅がもう一方のアンテナで受信された信号の振幅よりも低い限り、通信エラーを起こさずに変調後の情報信号を処理することができる。
【００２８】
本発明の趣旨を逸脱しない限りは、いかなるタイプのアンテナでも使用することができる。
【００２９】
更に、本発明に係る集積回路１２を備えたラベル１０によって、パレット、段ボール箱などの、任意の種類の支持体上での位置決めが、向きに関する制約を受けずに可能となる。また、本発明に係る集積回路１２は、任意の非接触型デバイスにも使用可能である。
【００３０】
本発明に係る集積回路１２は、特に段ボール箱のような三次元対象物の複数の面に貼り付けるように設計されたラベル１０に適している。図６は、そのようなラベル１０であって、中心に位置する点３０で互いに交差する２本の軸線３３−３５、３７−３９を有している。２本の軸線３３−３５、３７−３９は、互いに直角に交わり、非接触型ラベル１０の対称軸であることが好ましい。２本の軸線３３−３５、３７−３９は、非接触型ラベル１０を４つの部分４５、４６、４７、４８に分割する。アンテナのワイヤ１３、１５、１７、１９は、２本の軸線３３−３５、３７−３９の交点３０で重ならず、かつ少なくとも半軸線３３、３５、３７、３９のうちの少なくとも１本とは交差しないように支持体１１の上に位置する。ここに示した我々の例では、半軸線３７は、いずれのアンテナワイヤとも交叉していない。更に、集積回路１２は、軸線３３−３５、３７−３９のうちの一方とは重ならないように位置する。ラベル１０の面のうちの１つの面上の軸線３３−３５、３７−３９にカラーラインでマークを付けてもよい。更に、ラベル１０は、ロゴやその他を印刷する支持体として用いられるアンテナ支持体１１の保護層と、シリコン処理を施した剥がせるシートで覆われた接着剤層とを有している。
【００３１】
図７は、前図と同じ配置であるが、異なるアンテナワイヤを有するラベルを示す。
【００３２】
図８によれば、段ボール箱５００などの三次元対象物の２つの面に、非接触型ラベル１０が貼付してある。このため、軸線３３−３５が段ボール箱の２個の面５０１、５０２を区切る辺５１０と重なるように、ラベルは軸線３３−３５に沿って折り曲げられていることが好ましい。ラベル１０において段ボール箱５００の面５０１上に位置する部分は、アンテナ１４のワイヤ１３の全体、アンテナ１８のワイヤ１９の全体、及びワイヤ１５、１７の小さな部分を含む部分４６、４７からなる。段ボール箱５００の第２の面５０２上に位置するラベルの部分は、アンテナ１４のワイヤ１５の大部分及びアンテナ１８のワイヤ１７の大部分を含む部分４５、４８からなる。
【００３３】
非接触型ラベル１０は、段ボール箱などの三次元対象物の３つの面に貼付することもできる。この場合、ラベル１０の位置決めは、ラベル１０の一部を取り除くか、ラベル１０の一部を覆うかの２通りの方法により行うことができる。これら２通りの方法を、図９及び１０、図１１及び１２にそれぞれ示す。
【００３４】
図１０によれば、非接触型ラベル１０は、半軸線３７に沿って交点３０まで切断され、好適には軸線３３−３５に沿って折り曲げられる。図１０に示すように、ラベル１０は、２本の軸線の交点３０が段ボール箱６００の角に重なり、半軸線３５が段ボール箱６００の辺６１０に重なり、かつ半軸線３９が段ボール箱６００の辺６３０に重なるように段ボール箱６００の上に配置される。段ボール箱６００の面６０１上におけるラベル１０の部分４６は、アンテナ１８のワイヤ１９の大部分及びアンテナ１４のワイヤ１５の小さな部分を含む。段ボール箱６００の第２の面６０２上におけるラベル１０の部分４７は、アンテナ１４のワイヤ１３の全部、ワイヤ１５、１７、１９の小さな部分及び集積回路１２を含む。段ボール箱６００の第３の面６０３上におけるラベル１０の部分４５は、ラベル１０の部分４８を覆う。この方法では、第３の面上に位置するラベル１０の部分は、アンテナ１４のワイヤ１５の大部分と、アンテナ１８のワイヤ１７の大部分とを含む。
【００３５】
段ボール箱７００のような三次元対象物の３つの面に非接触型ラベル１０を配置するために、ラベル１０の一部分を除去することもできる。図１１を参照すると、ラベル１０は半軸線３３、３７に沿って交点３０まで切断されて、部分４８はラベル１０から切り離される。このように、アンテナ１８のワイヤ１７の大部分は取り除かれる。ワイヤ１５、１７は互いに接続しているので、ワイヤ１５は、アンテナ１４及びアンテナ１８の第２のワイヤとして使われる。
【００３６】
そして、図１２に示すように、ラベル１０は２本の軸線３３−３５、３７−３９の交点３０が段ボール箱７００の角と重なり、半軸線３５が段ボール箱７００の辺７１０と重なり、半軸線３９が段ボール箱の辺７３０と重なるように、段ボール箱７００に貼付される。段ボール箱７００の面７０１上に位置するラベル１０の部分４６は、アンテナ１８のワイヤ１９の大部分及びアンテナ１４のワイヤ１５の小さな部分を含む。段ボール箱７００の第２の面７０２に位置するラベル１０の部分４７は、アンテナ１４のワイヤ１３の全体、ワイヤ１５、１７、１９の小さな部分及び集積回路１２を含む。段ボール箱７００の第３の面７０３に位置するラベルの部分４５は、アンテナ１４のワイヤ１５の大部分を含む。各アンテナ１４、１８の２本のワイヤ１５、１７は互いに接続しているので、アンテナ１４はワイヤ１３及びワイヤ１５からなり、アンテナ１８はワイヤ１９及びワイヤ１５からなる。読取装置３０によって放射される電磁波の入射に応じて、ワイヤ１３及びワイヤ１５からなるアンテナ１４、又はワイヤ１９及びワイヤ１５からなるアンテナ１８が集積回路１２に電力を供給する。
【００３７】
通常は、２本の軸線３３−３５、３７−３９は、ラベル１０をそれに沿って折り曲げることができる軸線として使われ、半軸線３７はラベル１０の機能を妨げることなく切り離し可能に構成される。段ボール箱などの三次元対象物の２つの面又は３つの面にラベル１０を取り付けやすくする目的で、折り曲げ軸線又は切取軸線である半軸線３３、３５、３７、３９を形成してもよい。即ち、ラベル１０は、製造時においてあらかじめ軸線に沿って折り曲げてあるとよい。
【００３８】
本発明に係るラベル１０を三次元対象物の２つ又は３つの面に取り付けると、読取装置３０は、２本のアンテナ１４、１８のうち少なくとも１本のアンテナとデータを交換することができる。実際に、２本のアンテナ１４、１８のうちの１本のアンテナが遮られていてもいなくても、２本のうちの１本のアンテナが、読取装置３０からの放射エネルギーを他方へ伝達し、アンテナの入力信号の２つの電圧の中の最大電圧のみが選択されれば、集積回路に電力が供給される。このように、読取装置３０から発信された電磁波の入射に応じて、アンテナ１４又はアンテナ１８によって集積回路１２に電力が供給される。
【図面の簡単な説明】
【００３９】
【図１】ダイポール型ＲＦＩＤアンテナを備えたラベルである。
【図２】２本のアンテナを備えたラベルである。
【図３】ＲＦＩＤラベルと読取装置との間の通信の模式図である。
【図４】本発明に係る集積回路における無線周波数の受信システムの回路図である。
【図５】本発明の具体例に係る集積回路における無線周波数の受信システムの回路図をである。
【図６】本発明に係る集積回路における無線周波数の受信システムの回路図である。
【図７】本発明に係る集積回路の具体例における無線周波数の受信システムの回路図である。
【図８】本発明の第１の実施形態からなるラベルの第１の例である。
【図９】本発明の第１の実施形態からなるラベルの第２の例である。
【図１０】本発明に係るラベルを、三次元対象物の２つの面に取り付けた例である。
【図１１】第１の方法により三次元対象物の３つの面に取り付ける前の本発明に係るラベルである。
【図１２】本発明に係るラベルを、第１の方法により三次元対象物の３つの面に取り付けた例である。
【符号の説明】
【００４０】
１０  ラベル
１１  支持体
１２  集積回路
１３、１５、１７、１９  ワイヤ
１４、１８  アンテナ
３０  読取装置
３３、３５、３７、３９  軸線
４０、５０  整流回路
６０  コンデンサー
７０  負荷
【図１】
2009537886.tif 000003
【図２】
2009537886.tif 000004
【図３】
2009537886.tif 000005
【図４】
2009537886.tif 000006
【図５】
2009537886.tif 000007
【図６】
2009537886.tif 000008
【図７】
2009537886.tif 000009
【図８】
2009537886.tif 000010
【図９】
2009537886.tif 000011
【図１０】
2009537886.tif 000012
【図１１】
2009537886.tif 000013
【図１２】
2009537886.tif 000014
【国際調査報告】
2009537886.tif 000015
2009537886.tif 000016
2009537886.tif 000017
2009537886.tif 000018